(57)【要約】【課題】曲げ部の両端部のうち、いずれの端部側が曲げ始め側または曲げ終わり側であるのかを容易かつ的確に識別可能であり、かつ製造コストの上昇なども適切に抑制することが可能なベンドパイプを提供する。【解決手段】略半円弧状に湾曲した曲げ部１０を有する金属製のベンドパイプ１であって、曲げ部１０の両端部１０ａ，１０ｂのうち、いずれの端部側が曲げ始め側または曲げ終わり側であるかを識別可能とする識別部５が、凸状および／または凹状の立体的な部位として一体的に形成されている。【選択図】  図１
2020015076.tif 000002
【特許請求の範囲】
【請求項１】
略半円弧状に湾曲した曲げ部を有する金属製のベンドパイプであって、
前記曲げ部の両端部のうち、いずれの端部側が曲げ始め側または曲げ終わり側であるかを識別可能とする識別部が、凸状および／または凹状の立体的な部位として一体的に形成されていることを特徴とする、ベンドパイプ。
【請求項２】
請求項１に記載のベンドパイプであって、
前記識別部は、前記曲げ部の中心線から前記両端部のいずれか一方側にオフセットされた位置に設けられている、ベンドパイプ。
【請求項３】
請求項２に記載のベンドパイプであって、
前記識別部として、このベンドパイプの外面に形成された凹状部として構成された識別部を備えている、ベンドパイプ。
【請求項４】
請求項２または３に記載のベンドパイプであって、
前記識別部として、前記曲げ部の内周面に設けられた皺部として構成された識別部を備えている、ベンドパイプ。
【請求項５】
原材料となる直管状の金属製パイプを引っ張りながら、パイプベンダのロールブロックの周面に沿わせて曲げていくことにより、前記金属製パイプに略半円弧状の曲げ部を形成する曲げ工程と、
この曲げ工程の後において、前記金属製パイプを切断する切断工程と、
を有している、ベンドパイプの製造方法であって、
前記曲げ工程の開始時から前記切断工程の終了時までのいずれかの時期において、前記金属製パイプには、前記曲げ部の両端部のうち、いずれの端部側が曲げ始め側または曲げ終わり側であるかを識別可能とする識別部を、凸状および／または凹状の立体的な部位として一体的に形成する識別部付与工程を、
さらに有していることを特徴とする、ベンドパイプの製造方法。
【請求項６】
請求項５に記載のベンドパイプの製造方法であって、
前記切断工程においては、一対のクランプ部材を用いて前記曲げ部をクランプする一方、前記一対のクランプ部材の少なくとも一方には、識別部形成用の凸部を予め設けておき、
前記識別部付与工程として、前記曲げ部をクランプした際に、前記凸部を利用して前記識別部としての凹部を前記曲げ部の外面に形成する工程を有している、ベンドパイプの製造方法。
【請求項７】
請求項５または６に記載のベンドパイプの製造方法であって、
前記曲げ部を一対のクランプ部材を用いて固定させる工程を有し、
これら一対のクランプ部材のそれぞれは、前記曲げ部を嵌入させてセットするための略半円弧状の凹部を有しており、この凹部は、左右非対称の形状とされて、左右幅方向の一方の第１領域は、前記曲げ部の曲げ始め側に対応した形状およびサイズとされ、かつ前記第１領域と反対側の第２領域は、前記曲げ部の曲げ終わり側に対応した形状およびサイズとされており、前記凹部に前記曲げ部を嵌入する場合の前記曲げ部の向きが誤っているときには、前記曲げ部が前記凹部に一致した状態に嵌入しないように構成されている、ベンドパイプの製造方法。
【請求項８】
請求項５ないし７のいずれかに記載のベンドパイプの製造方法であって、
前記ロールブロックの周面には、凹状および／または凸状の皺形成部を設けておき、
前記識別部付与工程として、前記曲げ工程において、前記金属製パイプに曲げ部を形成するときに、前記皺形成部によって前記曲げ部の内周面に、前記識別部としての皺部を形成する工程を有している、ベンドパイプの製造方法。
【発明の詳細な説明】
【技術分野】
【０００１】
本発明は、たとえば熱交換器における伝熱管の構成要素として、あるいは配管部材などとして用いられるベンドパイプ、およびその製造方法に関する。
【背景技術】
【０００２】
たとえば、熱交換器の伝熱管を製作する場合、複数の金属製の直状管体を、略半円弧状の曲げ部を有するベンドパイプを用いて接続するといった手段がよく採用される。ここで、前記ベンドパイプは、原材料となる直管状の金属製パイプに、パイプベンダ（たとえば特許文献１，２など）を用いて曲げ加工を施した後に、前記金属製パイプを適当な箇所で切断することにより製造される。好ましくは、ベンドパイプの両端部には、拡管加工などの端末処理が施され、その寸法精度が高められる。
【０００３】
しかしながら、従来技術においては、次に述べるように、未だ改善すべき余地があった。
【０００４】
すなわち、パイプベンダを用いて直管状の金属製パイプに曲げ加工を施す工程においては、金属製パイプを引っ張りながら、パイプベンダのロールブロックの周面に沿わせて曲げていくのが一般的である。このような曲げ加工においては、半円弧状に湾曲した金属製パイプの曲げ部は、曲げ始め側部分の方が曲げ終わり側部分よりも、引っ張り荷重を多く受ける。このため、曲げ加工を終えた金属製パイプを、曲げ部の両端付近で切断し、ベンドパイプを形成した場合、このベンドパイプの両端部のそれぞれの直径や肉厚は、相違したものとなる場合が多い。曲げ始め側の端部の方が、曲げ終わり側の端部よりも小径かつ薄肉となる。
【０００５】
一方、たとえばベンドパイプを他の直状管体と、ロウ付け手段などを用いて接続し、伝熱管を製作する場合、ベンドパイプの両端部の寸法管理を適切に図る必要がある。このため、ベンドパイプの両端部には、端末処理を施すが、ベンドパイプの両端部のそれぞれ直径や肉厚が相違している場合には、たとえば同一サイズの拡管用パンチをベンドパイプの両端部に圧入したとしても、最終的な仕上がり寸法は、同一にはならない。仕上がり寸法を同一またはこれに近い状態にするには、ベンドパイプの両端部のそれぞれのいずれの側が曲げ始め側（小直径側）、または曲げ終わり側（大直径側）であるのかを事前に察知し、これに対応した拡管用パンチを用いる必要がある。
【０００６】
ところが、従来においては、ベンドパイプの両端部のいずれの側が曲げ始め側、または曲げ終わり側であるのかを判別するための手段はなんら講じられていない。また、ベンドパイプの両端部を目視しただけでは、両者の直径や肉厚の相違は殆ど見分けがつかない。したがって、ベンドパイプの両端部の直径や肉厚の相違に応じて適切な端末処理を施すといったことが困難なものとなっていた。
【先行技術文献】
【特許文献】
【０００７】
【特許文献１】特開２０１６−１３１９７７号公報
【特許文献２】特開２０１２−１３５７９７号公報
【発明の概要】
【発明が解決しようとする課題】
【０００８】
本発明は、前記したような事情のもとで考え出されたものであり、曲げ部の両端部のう
ち、いずれの端部側が曲げ始め側または曲げ終わり側であるのかを容易かつ的確に識別可能であり、かつ製造コストの上昇なども適切に抑制することが可能なベンドパイプ、およびその製造方法を提供することを、その課題としている。
【課題を解決するための手段】
【０００９】
上記の課題を解決するため、本発明では、次の技術的手段を講じている。
【００１０】
本発明の第１の側面により提供されるベンドパイプは、略半円弧状に湾曲した曲げ部を有する金属製のベンドパイプであって、前記曲げ部の両端部のうち、いずれの端部側が曲げ始め側または曲げ終わり側であるかを識別可能とする識別部が、凸状および／または凹状の立体的な部位として一体的に形成されていることを特徴としている。
【００１１】
このような構成によれば、次のような効果が得られる。
第１に、前記識別部を確認することにより、ベンドパイプの両端部のうちのいずれの端部側が曲げ始め側または曲げ終わり側であるかを容易かつ正確に識別することができる。このため、たとえばベンドパイプの端末処理などに際し、小径側の曲げ始め側の端部に、大径側の曲げ終わり側用のパンチを圧入させるといった不具合を生じないようにし、ベンドパイプの端末が曲げ始め側であるか、曲げ終わり側であるかに応じて適切な対応をとることができる。これは、ベンドパイプの両端部の寸法精度などを高めたり、ベンドパイプの加工処理の迅速化などを図る上において好ましい効果である。
第２に、前記識別部は、凸状および／または凹状の立体的な部位として一体的に形成されているため、シール貼付や印刷などとは異なり、ベンドパイプの取り扱い中に剥離や消失などを生じないようにできることは勿論のこと、ベンドパイプを製作する工程や、その後のベンドパイプを処理する工程において、前記識別部を容易に設けることが可能である。したがって、生産性を悪化させるようなこともなく、ベンドパイプの製造コストの上昇も適切に抑えることが可能である。
【００１２】
本発明において、好ましくは、前記識別部は、前記曲げ部の中心線から前記両端部のいずれか一方側にオフセットされた位置に設けられている。
【００１３】
このような構成によれば、前記識別部が曲げ部の中心線に対していずれの側にオフセットされているかを確認することにより、ベンドパイプの両端部のいずれが曲げ始め側であるかといったことを迅速に判断することが可能である。識別部の位置により判断できるため、識別部を複雑な形状などに形成する必要をなくすことも可能である。
【００１４】
本発明において、好ましくは、前記識別部として、このベンドパイプの外面に形成された凹状部として構成された識別部を備えている。
【００１５】
このような構成によれば、たとえばベンドパイプをクランプ部材を用いてクランプするような処理工程において、前記クランプ部材に凸状部を形成しておくことにより、凹状部としての識別部を容易に設けることが可能である。
【００１６】
本発明において、好ましくは、前記識別部として、前記曲げ部の内周面に設けられた皺部として構成された識別部を備えている。
【００１７】
このような構成によれば、ベンドパイプの曲げ部を形成する曲げ工程において、前記皺部としての識別部を容易に形成することが可能である。
【００１８】
本発明の第２の側面により提供されるベンドパイプの製造方法は、原材料となる直管状の金属製パイプを引っ張りながら、パイプベンダのロールブロックの周面に沿わせて曲げ
ていくことにより、前記金属製パイプに略半円弧状の曲げ部を形成する曲げ工程と、この曲げ工程の後において、前記金属製パイプを切断する切断工程と、を有している、ベンドパイプの製造方法であって、前記曲げ工程の開始時から前記切断工程の終了時までのいずれかの時期において、前記金属製パイプには、前記曲げ部の両端部のうち、いずれの端部側が曲げ始め側または曲げ終わり側であるかを識別可能とする識別部を、凸状および／または凹状の立体的な部位として一体的に形成する識別部付与工程を、さらに有していることを特徴としている。
【００１９】
このような構成によれば、本発明の第１の側面により提供されるベンドパイプを適切に製造することができる。
【００２０】
本発明において、好ましくは、前記切断工程においては、一対のクランプ部材を用いて前記曲げ部をクランプする一方、前記一対のクランプ部材の少なくとも一方には、識別部形成用の凸部を予め設けておき、前記識別部付与工程として、前記曲げ部をクランプした際に、前記凸部を利用して前記識別部としての凹部を前記曲げ部の外面に形成する工程を有している。
【００２１】
このような構成によれば、金属製パイプを切断すべくクランプする場合に、前記識別部を効率よく設けることができる。
【００２２】
本発明において、好ましくは、前記曲げ部を一対のクランプ部材を用いて固定させる工程を有し、これら一対のクランプ部材のそれぞれは、前記曲げ部を嵌入させてセットするための略半円弧状の凹部を有しており、この凹部は、左右非対称の形状とされて、左右幅方向の一方の第１領域は、前記曲げ部の曲げ始め側に対応した形状およびサイズとされ、かつ前記第１領域と反対側の第２領域は、前記曲げ部の曲げ終わり側に対応した形状およびサイズとされており、前記凹部に前記曲げ部を嵌入する場合の前記曲げ部の向きが誤っているときには、前記曲げ部が前記凹部に一致した状態に嵌入しないように構成されている。
【００２３】
このような構成によれば、一対のクランプ部材に対し、本来の適正な向きとは異なる向きに金属製パイプの曲げ部が設定されることは阻止される。したがって、金属製パイプに未だ前記識別部が設けられていない場合、あるいは金属製パイプに前記識別部が設けられているにも拘わらず、作業者の過誤などによって、金属製パイプを一対のクランプ部材に誤った向きに設定することを防止することが確実化される。
【００２４】
本発明において、好ましくは、前記ロールブロックの周面には、凹状および／または凸状の皺形成部を設けておき、前記識別部付与工程として、前記曲げ工程において、前記金属製パイプに曲げ部を形成するときに、前記皺形成部によって前記曲げ部の内周面に、前記識別部としての皺部を形成する工程を有している。
【００２５】
このような構成によれば、金属製パイプに曲げ部を形成すべく曲げ加工を行なう際に、前記識別部を効率よく、かつ適切に設けることができる。
【００２６】
本発明のその他の特徴および利点は、添付図面を参照して以下に行なう発明の実施の形態の説明から、より明らかになるであろう。
【図面の簡単な説明】
【００２７】
【図１】（ａ）は、本発明に係るベンドパイプの一例を示す正面図であり、（ｂ）は、（ａ）の底面図であり、（ｃ）は、（ａ）のIc−Ic断面図である。
【図２】（ａ）は、図１に示すベンドパイプに端末処理を施したものを示す正面図であり、（ｂ）は、その底面図である。
【図３】（ａ）〜（ｅ）は、図１および図２に示すベンドパイプの製造工程を示す概略説明図である。
【図４】（ａ）は、図１に示すベンドパイプを製造するのに用いられるパイプベンダの一例を示す平面断面図であり、（ｂ）は、（ａ）のIVb−IVb断面図であり、（ｃ）は、（ａ）のIVc−IVc断面図である。
【図５】図４に示すパイプベンダを用いて曲げ加工を行なった状態を示す平面断面図である。
【図６】クランプ部材の一例を示す要部断面図である。
【図７】（ａ）は、クランプ部材の他の例を示す要部概略平面図であり、（ｂ）は、（ａ）に示すクランプ部材にベンドパイプを適切にセッティングした状態の断面図である。
【図８】（ａ）は、図７に示すクランプ部材にベンドパイプを逆向きにしてセットしようとする状態を示す要部概略平面図であり、（ｂ）は、（ａ）に示すベンドパイプのセッティングを行なった状態の断面図である。
【図９】本発明に係るベンドパイプの他の例を示す正面図である。
【図１０】（ａ）は、図９に示すベンドパイプを製造するのに用いられるパイプベンダの一例を示す平面断面図であり、（ｂ）は、（ａ）のXb−Xb断面図である。
【図１１】図１０に示すパイプベンダを用いて曲げ加工を行なった状態を示す平面断面図である。
【図１２】本発明に係るベンドパイプの他の例を示す正面図である。
【発明を実施するための形態】
【００２８】
以下、本発明の好ましい実施の形態について、図面を参照して具体的に説明する。
【００２９】
図１に示すベンドパイプ１は、たとえばステンレス製であり、略半円弧状に湾曲した曲げ部１０、この曲げ部１０の両端部１０ａ，１０ｂに一体的に繋がった短管状の一対の直状管部１１ａ，１１ｂ、および識別部５を備えている。
【００３０】
識別部５は、たとえば正面視円形の凹状部であり、曲げ部１０の幅方向の中心線ＣＬから曲げ部１０の端部１０ｂ寄りにオフセットして設けられている。曲げ部１０は、後述する曲げ加工により形成された部位であり、端部１０ａは、曲げ始め側であり、端部１０ｂは、曲げ終わり側である。曲げ始め側の端部１０ａおよびこれに繋がった直状管部１１ａの直径Ｄａは、曲げ終わり側の端部１０ｂおよびこれに繋がった直状管部１１ｂの直径Ｄｂよりも、僅かながら小径である。また、端部１０ａおよび直状管部１１ａは、端部１０ｂおよび直状管部１１ｂよりも僅かに薄肉である。識別部５は、幅方向の中心線ＣＬから曲げ終わり側の端部１０ｂ寄りにオフセットされた配置である。
図２に示すベンドパイプ１Ａは、ベンドパイプ１の直状管部１１ａ，１１ｂに、拡管部としての端末処理部１２ａ，１２ｂが設けられた構成である。
【００３１】
前記したベンドパイプ１，１Ａは、次のような一連の工程を経て製造される。
【００３２】
一連の工程の概要をまず説明すると、ベンドパイプ１の原材料として、図３（ａ）に示すような直管状の金属製パイプ１’（ステンレス製パイプ）を用い、これに曲げ加工を施すことにより、同図（ｂ）に示すように、曲げ部１０を部分的に有する金属製パイプ１’を製作する。次いで、同図（ｃ）に示すように、金属製パイプ１’を仮想線Ｌ１の位置で適当な寸法に切断し、同図（ｄ）に示すようにベンドパイプ１を得る。その後、同図（ｅ）に示すように、拡管用のパンチ６ａ，６ｂを利用してベンドパイプ１の両端を拡管し、端末処理部１２ａ，１２ｂを形成する。
ただし、図３（ｃ）に示した切断工程においては、後述するように、金属製パイプ１’
を、クランプするためのクランプ部材７に凸状部７０を形成しておき、この凸状部７０を利用して識別部５を設ける。
【００３３】
前記一連の工程のうち、金属製パイプ１’の曲げ加工は、たとえば図４に示すようなパイプベンダＢを用いて行なう。このパイプベンダＢは、ロールブロック２、プレッシャ型３、およびクランプ型４を備えている。ロールブロック２は、軸部２０を中心として水平回転可能であり、その外周面には、第１のパイプ嵌入用凹部２１が一連に形成されており、この第１のパイプ嵌入用凹部２１は、１８０°の角度範囲にわたって円弧状に湾曲した湾曲部２１ａを有している。プレッシャ型３は、金属製パイプ１’をロールブロック２側に押し付けるためのものであり、側面には、第２のパイプ嵌入用凹部３１が形成されている。クランプ型４は、ロールブロック２との間で金属製パイプ１’をクランプし、金属製パイプ１’の引っ張り動作を生じさせるためのものである。その側面には、第３のパイプ嵌入用凹部４１が設けられている。
【００３４】
金属製パイプ１’に曲げ加工を施す場合には、図４に示したようなセッティング状態において、軸部２０を中心として、ロールブロック２およびクランプ型４を矢印Ｎａ，Ｎｂで示すように、１８０°水平回転させる。このことにより、図５に示すように、金属製パイプ１’の一部は、ロールブロック２の湾曲部２１ａに沿った状態に曲げられ、曲げ部１０が形成される。
前記した曲げ加工においては、クランプ型４によって金属製パイプ１’が強く引っ張られるが、曲げ部１０の曲げ始め側部分の方が、曲げ終わり側部分よりも引っ張り荷重を多く受ける。このため、金属製パイプ１’のうち、曲げ始め側部分は、曲げ終わり側部分よりも小径かつ薄肉になり易い。
【００３５】
図６は、図３（ｃ）に示した金属製パイプ１’の切断工程において、金属製パイプ１’を固定するのに用いられる一対のクランプ部材７（７ａ，７ｂ）を示している。これら一対のクランプ部材７ａ，７ｂは、金属製パイプ１’を嵌入させるための凹部７１を有しているが、一方のクランプ部材７ａの凹部７１内には、凸状部７０が設けられている。金属製パイプ１’をクランプ固定する際には、凸状部７０が金属製パイプ１’に押し付けられることにより、この金属製パイプ１’の外面に凹状部としての識別部５が設けられる。このことにより、図３（ｄ）に示したベンドパイプ１が得られる。
【００３６】
図７は、図３（ｅ）に示した端末処理工程において、ベンドパイプ１を固定するのに用いられる上下一対のクランプ部材８（８ａ，８ｂ）を示している。なお、本実施形態とは異なり、ベンドパイプ１を、図３（ｃ）の切断工程で用いたクランプ部材７に保持させたまま、端末処理工程を引き続いて実行することも可能である。
【００３７】
図７に示すクランプ部材８は、ベンドパイプ１の曲げ部１０を嵌入させるための略半円弧状の凹部８１を有しているが、この凹部８１は、左右非対称の形状とされ、中心線Ｃａの左側の第１領域Ｓａは、曲げ部１０の曲げ始め側の端部１０ａ付近に対応した形状およびサイズであり、これとは反対の中心線Ｃａの右側の第２領域Ｓｂは、曲げ部１０の曲げ終わり側の端部１０ｂ付近に対応した形状およびサイズである。第１領域Ｓａの端部の幅Ｌａ、深さｄａと、第２領域Ｓｂの端部の幅Ｌｂ、深さｄｂとは、Ｌａ＜Ｌｂ、ｄａ＜ｄｂの関係である（図７および図８では、理解を容易にするため、前記寸法差を誇張した状態に示している）。
【００３８】
前記した構成によれば、図７に示すように、クランプ部材８ｂの凹部８１に、ベンドパイプ１を嵌入してセッティングを行なう場合に、ベンドパイプ１の向きが正しく、ベンドパイプ１の曲げ始め側の端部１０ａが第１領域Ｓａに位置し、かつ曲げ終わり側の端部１０ｂが第２領域Ｓｂに位置する場合には、ベンドパイプ１を遊びの少ない状態で適切にク
ランプ部材８ｂにセッティングすることができる。
これに対し、図８に示すように、ベンドパイプ１の向きを、図７に示した場合とは反対の誤った向きにした場合には、曲げ部１０が凹部８１に一致する適切な状態には嵌入しないこととなる。これは、ベンドパイプ１の向きが誤っていることを、作業者に容易に気づかせる効果をもたらせる。
【００３９】
ベンドパイプ１をクランプ部材８ｂにセッティングする場合、図８に示した誤った向きにすることなく、最初から正しい向きにすることが望まれる。これに対し、ベンドパイプ１に設けられている識別部５を確認すれば、この識別部５が設けられている側が、曲げ部１０の曲げ終わり側である旨を容易かつ迅速に認識することができるため、ベンドパイプ１をクランプ部材８ｂに対し、最初から正しい向きにセッティングすることが可能である。
【００４０】
なお、ベンドパイプ１を固定するためのクランプ部材としては、ベンドパイプ１の向きを問うことなく、曲げ部１０の全体を嵌入可能な凹部が形成されたものとすることも可能である（たとえば、図６に示したクランプ部材７は、そのような構成とされている）。ただし、そのような構成を採用した場合には、凹部内における曲げ部１０の遊び代を比較的大きくとる必要がある。これに対し、図７および図８に示したクランプ部材８においては、そのような遊び代をかなり小さくし、ベンドパイプ１を安定的に固定させる上で好ましいものとなる。
【００４１】
図３（ｅ）の端末処理工程において、一対の拡管用のパンチ６ａ，６ｂの外径は、相違している。既述したように、ベンドパイプ１の曲げ部１０の両端部１０ａ，１０ｂおよびその近傍の直状管部１１ａ，１１ｂのサイズは相違しているため、パンチ６ａ，６ｂのサイズを同一にしても、端末処理部１２ａ，１２ｂの直径Ｄa'， Ｄb'は同一にはならない。パンチ６ａ，６ｂのサイズを相違させることにより、端末処理部１２ａ，１２ｂの直径Ｄa'， Ｄb'を略同一に揃えることが可能となる。
【００４２】
ベンドパイプ１は、たとえば熱交換器の伝熱管の構成要素として用いられ、直状管体部の端部と接続される。この場合、たとえばロウ付けがなされるため、前記した端末処理部１２ａ，１２ｂの直径Ｄa'， Ｄb'の寸法精度を高くする必要がある。とくに、ベンドパイプ１がステンレス製である場合、本来的にロウ付け性が余り良好ではないため、ロウ付け用の寸法精度をより高くすることが要望される。これに対し、本実施形態のベンドパイプ１は、そのような要望に的確に応えることが可能である。
【００４３】
前記したように、本実施形態においては、ベンドパイプ１に識別部５を設けたことにより、端末処理部１２ａ，１２ｂを設ける場合に、その処理を適切に行なうことができる。勿論、端末処理以外の処理、あるいはベンドパイプ１の取り扱い時において、曲げ部１０のいずれの側が曲げ始め側または曲げ終わり側であるかを区別しなければならない場合に、便利である。
また、識別部５は、金属製パイプ１’の切断工程におけるクランプ時において、クランプ部材７を利用して設けられるため、識別部５を設けるための専用の作業を別途行なう必要はなく、生産性が低下するといった不具合もない。
【００４４】
図９〜図１２は、本発明の他の実施形態を示している。これらの図において、前記実施形態と同一または類似の要素には、前記実施形態と同一の符号を付すこととし、重複説明は省略する。
【００４５】
図９に示すベンドパイプ１Ｂにおいては、曲げ部１０の内周面のうち、幅方向の中心線ＣＬから曲げ部１０の曲げ終わり側の端部１０ｂ側にオフセットされた位置に、皺部とし
ての識別部５Ａが設けられている。
【００４６】
前記したベンドパイプ１Ｂは、図１０および図１１に示すような工程を経て製造することが可能である。すなわち、図１０に示すパイプベンダＢのロールブロック２の湾曲部２１ａには、部分的に窪んだ凹部２１ｂが設けられている。このような構成のパイプベンダＢを利用し、図４および図５を参照して先に説明したのと同様な工程で金属製パイプ１’に曲げ加工を施すと、曲げ部１０の内周面には、凹部２１ｂに対応する凸状の皺部としての識別部５Ａが形成される。本実施形態においても、前記実施形態と同様に、識別部５Ａを設けるための工程を、それ専用の工程として別途行なう必要はない。
【００４７】
図９に示したベンドパイプ１Ｂにおいても、先に述べたベンドパイプ１，１Ａと同様に、識別部５Ａの位置を確認することにより、曲げ部１０の両端部１０ａ，１０ｂのいずれの側が曲げ始め側または曲げ終わり側であるかを容易かつ的確に認識することが可能である。
【００４８】
図１２に示すベンドパイプ１Ｃは、端末処理部１２ａ，１２ｂの直径Ｄa'， Ｄb'が意図的に相違したものとされ、異径のパイプどうしを接続するのに用いられる。本発明はこのような構成とすることも可能である。
【００４９】
本発明は、上述した実施形態の内容に限定されない。本発明に係るベンドパイプの各部の具体的な構成は、本発明の意図する範囲内において種々に設計変更自在である。本発明に係るベンドパイプの製造方法の各工程の具体的な構成も、本発明の意図する範囲内において種々に変更自在である。
【００５０】
上述の実施形態においては、識別部が凹状部や皺部として設けられた例を示したが、本発明はこれに限定されない。本発明の識別部は、曲げ部の両端部のうち、いずれの端部側が曲げ始め側または曲げ終わり側であるかを識別可能に、凸状および／または凹状の立体的な部位としてベンドパイプに一体的に形成されていればよい。識別部を、立体的な模様、文字、記号などとして形成することもできる。また、形状などが相違する識別部を、ベンドパイプの両端部に設けた構成とすることもできる。
【００５１】
識別部は、金属製パイプの切断工程や曲げ工程などの際に同時に設けられることが好ましいものの、本発明はこれに限定されず、それ専用の工程で設けられてもよい。識別部は、刻印などの手段を用いて設けることもできる。
【００５２】
本発明に係るベンドパイプは、端末処理が施されているか否か、曲げ部に直状管部が繋がっているか否かなどは限定されない。たとえば、図１および図２に示した２つのベンドパイプ１，１Ａは、いずれも本発明の技術的範囲に包摂される。
ベンドパイプは、熱交換器の伝熱管の構成要素として用いるのに適するが、その具体的な用途は限定されず、たとえば一般的な配管部材などとして用いることもできる。ベンドパイプの材質は、ステンレスに限定されない。
【符号の説明】
【００５３】
Ｂ  パイプベンダ
１，１Ａ〜１Ｃ  ベンドパイプ
１’  金属製パイプ
１０  曲げ部
１０ａ，１０ｂ  両端部
１１ａ，１１ｂ  直状管部
１２ａ，１２ｂ  端末処理部
２  ロールブロック
２１ｂ  凹部
５，５Ａ  識別部
７  クランプ部材
７０  凸状部
【図１】
2020015076.tif 000003
【図２】
2020015076.tif 000004
【図３】
2020015076.tif 000005
【図４】
2020015076.tif 000006
【図５】
2020015076.tif 000007
【図６】
2020015076.tif 000008
【図７】
2020015076.tif 000009
【図８】
2020015076.tif 000010
【図９】
2020015076.tif 000011
【図１０】
2020015076.tif 000012
【図１１】
2020015076.tif 000013
【図１２】
2020015076.tif 000014